(57)【特許請求の範囲】
【請求項１】
天板部と、この天板部と平行に配置された底板部と、天板部と底板部との間に間隔を隔てて介在し、同一方向に連続して設けられた複数の柱部と、前記底板部の一方の端縁から水平に延出し、下地材にビス固定される固定部と、天板部の前記固定部と逆方向の端縁から延出し、隣接して配置される同タイプのデッキ材の前記固定部を上方から覆うように配置される固定部カバー部とを備えるデッキ材であって、
前記天板部の底面あるいは前記天板部の端部から垂れ下がるように設けられた垂れ壁との間に隙間が形成されるように、前記底板部の固定部側端部から上方に立ち上がる立ち上がり壁を有し、
前記固定部カバー部が、固定部を上方から覆うカバー部本体と、
カバー部本体から延設され、隣接して配置される同タイプのデッキ材の前記隙間内に遊嵌される遊嵌部を有し、カバー部本体と隣接するデッキ材との境界部分に流れ込む雨水を、前記遊嵌部を介して前記隙間から前記立ち上がり壁と、この立ち上がり壁に隣接する柱部との間に導く雨水ガイド部と
を備えていることを特徴とするデッキ材。
【請求項２】
雨水ガイド部が、ガバー部本体端部から垂れ下がる当接部を有し、遊嵌部がこの当接部の下端部から延設されている請求項１に記載のデッキ材。
【請求項３】
遊嵌部が隙間から離脱する方向に力が加わったときに、立ち上がり壁または垂れ壁に係止される係止部が遊嵌部の先端に形成されている請求項１または請求項２に記載のデッキ材。
【発明の詳細な説明】
【技術分野】
【０００１】
本発明は、ベランダやバルコニー等の床板となるデッキ材に関する。
【背景技術】
【０００２】
従来、デッキ材として、図１４に示すようなものがある（例えば、特許文献１等参照）。
このデッキ材１００は、硬質塩化ビニル樹脂、ポリプロピレン樹脂などの熱可塑性樹脂を押出成形したもので、デッキ材本体１１０と、固定部カバー材１２０とを備えている。
デッキ材本体１１０は、２つの天板部１１１と、この天板部１１１に平行に配置された２つの底板部１１２と、底板部１１２と底板部１１２とを連結するように設けられた固定部１１３と、天板部１１１と底板部１１２との間に介在する柱部１１４とを備えている。
【０００３】
そして、デッキ材本体１１０は、根太材（図示せず）によって下方から支持されるとともに、固定部１１３を固定ビスによって根太材に固定されるようになっている。
固定部カバー材１２０は、固定部１１３の両側に立ち上がる柱部１１４間に嵌合されて、固定部１１３を隠蔽するとともに、その上面が天板部１１１と略面一となる。
【０００４】
しかし、上記デッキ材１００の場合、固定部カバー材１２０によって固定部１１３が上部から見えないように隠蔽されるが、固定部カバー材１２０と柱部１１４との隙間から固定部１１３側にデッキ材１００上に降った雨水等が入り込む場合がある。
そして、この固定部１１３側に入り込んだ雨水が、固定ビス孔から根太材側に漏れ出てデッキ材１００に下方に雨漏りすることがある。
【０００５】
一方、上記問題を解決することができるデッキ材として、図１５に示すようなデッキ材２００が提案されている（特許文献２参照）。
すなわち、このデッキ材２００は、図１５に示すように、固定部２１０が底板２２０の幅方向の一端から水平に延出するとともに、この固定部２１０のビス固定位置と端の柱部２３０との間に立ち上がり壁２４０を設けている。
【０００６】
また、天板部２５０の他端から隣接して配置される同型のデッキ材２００の固定部２１０の上方を覆う固定部カバー部２６０が水平に延設されている。
固定部カバー部２６０は、その先端から垂下されるように、隣接して配置されるデッキ材２００の柱部２３０に当接し、その下端に設けられた係合突起２６１が固定部２１０に設けた係合凹部２１１に係合されるようになっている。
【０００７】
したがって、このデッキ材２００は、デッキ材２００とデッキ材２００との継ぎ目部分から固定部２１０側に雨水が入り込んでも、立ち上がり壁２４０が設けられているので、ビス固定位置まで雨水が入り込むことなく、立ち上がり壁２４０と柱部２３０とによって形成される溝部２７０を通って溝部２７０の両端から排水され、固定ビス孔から床下空間に雨漏りすることがない。
【先行技術文献】
【特許文献】
【０００８】
【特許文献１】特開平８−４２１１５号公報
【特許文献２】特開２０００−３３６９０６号公報
【発明の概要】
【発明が解決しようとする課題】
【０００９】
しかし、上記デッキ材２００の場合、係合突起２６１が固定部２１０に設けた係合凹部２１１に係合されるようになっているので、出幅方向の幅調整が出来ないという欠点、係合突起２６１の係合部が外れて反るという欠点、デッキ材２００全体の出幅方向の熱伸縮を吸収出来ずにデッキ材２００が変形する欠点などがある。
【００１０】
本発明は、上記事情に鑑みて、固定ビス孔からの漏水がなく、しかも出幅調整を簡単に行うことができるとともに、熱伸縮を吸収してデッキ材自体の変形を防止できるデッキ材を提供することを目的としている。
【課題を解決するための手段】
【００１１】
上記目的を達成するために、本発明にかかるデッキ材は、天板部と、この天板部と平行に配置された底板部と、天板部と底板部との間に間隔を隔てて介在し、同一方向に連続して設けられた複数の柱部と、前記底板部の一方の端縁から水平に延出し、下地材にビス固定される固定部と、天板部の前記固定部と逆方向の端縁から延出し、隣接して配置される同タイプのデッキ材の前記固定部を上方から覆うように配置される固定部カバー部とを備えるデッキ材であって、前記天板部の底面あるいは前記天板部の端部から垂れ下がるように設けられた垂れ壁との間に隙間が形成されるように、前記底板部の固定部側端部から上方に立ち上がる立ち上がり壁を有し、前記固定部カバー部が、固定部を上方から覆うカバー部本体と、カバー部本体から延設され、隣接して配置される同タイプのデッキ材の前記隙間内に遊嵌される遊嵌部を有し、カバー部本体と隣接するデッキ材との境界部分に流れ込む雨水を、前記遊嵌部を介して前記隙間から前記立ち上がり壁と、この立ち上がり壁に隣接する柱部との間に導く雨水ガイド部とを備えていることを特徴としている。
【００１２】
本発明にかかるデッキ材は、特に限定されないが、一般的には、硬質塩化ビニル樹脂、ポリプロピレン樹脂などの熱可塑性樹脂組成物を押出成形して得られる。また、このような熱可塑性樹脂に木粉などの充填材を添加しても構わない。
また、本発明にかかるデッキ材は、特に限定されないが、例えば、雨水ガイド部が、ガバー部本体端部から垂れ下がる当接部を有し、遊嵌部がこの当接部の下端部から延設されている構成や、遊嵌部が隙間から離脱する方向に力が加わったときに、立ち上がり壁または垂れ壁に係止される係止部が遊嵌部の先端に形成されている構成としてもよい。
【発明の効果】
【００１３】
本発明にかかるデッキ材は、以上のように、天板部と、この天板部と平行に配置された底板部と、天板部と底板部との間に間隔を隔てて介在し、同一方向に連続して設けられた複数の柱部と、前記底板部の一方の端縁から水平に延出し、下地材にビス固定される固定部と、天板部の前記固定部と逆方向の端縁から延出し、隣接して配置される同タイプのデッキ材の前記固定部を上方から覆うように配置される固定部カバー部とを備えるデッキ材であって、前記天板部の底面あるいは前記天板部の端部から垂れ下がるように設けられた垂れ壁との間に隙間が形成されるように、前記底板部の固定部側端部から上方に立ち上がる立ち上がり壁を有し、前記固定部カバー部が、固定部を上方から覆うカバー部本体と、カバー部本体から延設され、隣接して配置される同タイプのデッキ材の前記隙間内に遊嵌される遊嵌部を有し、カバー部本体と隣接するデッキ材との境界部分に流れ込む雨水を、前記遊嵌部を介して前記隙間から前記立ち上がり壁と、この立ち上がり壁に隣接する柱部との間に導く雨水ガイド部とを備えているので、固定ビス孔からの漏水がなく、しかも出幅調整を簡単に行うことができるとともに、熱伸縮を吸収してデッキ材自体の変形を防止できる。
【図面の簡単な説明】
【００１４】
【図１】本発明にかかるデッキ材の第１の実施の形態をあらわす斜視図である。
【図２】図１のデッキ材の施工構造を説明する図であって、建物側の端部に配置されるデッキ材の取り付け状態の斜視図である。
【図３】図１のデッキ材の、デッキ材とデッキ材との連結部の取り付け状態をあらわす断面図である。
【図４】図１のデッキ材に端部固定部カバー材を取り付けた状態をあらわす斜視図である。
【図５】図１のデッキ材に用いるスターター材の別の例をあらわす側面図である。
【図６】図１のデッキ材に用いるスターター・端部固定部カバー兼用材の１例をあらわす斜視図である。
【図７】図１のデッキ材に用いるスターター・端部固定部カバー兼用材の別の例をあらわす斜視図である。
【図８】図６のスターター・端部固定部カバー兼用材をスターター材として用いた建物側の端部に配置されるデッキ材の取り付け状態の断面図である。
【図９】図６のスターター・端部固定部カバー兼用材を端部固定部カバー材として取り付けた状態をあらわす断面図である。
【図１０】図７のスターター・端部固定部カバー兼用材を端部固定部カバー材として取り付けた状態をあらわす断面図である。
【図１１】本発明にかかるデッキ材の第２の実施の形態をあらわし、そのデッキ材とデッキ材との連結部の取り付け状態をあらわす断面図である。
【図１２】本発明にかかるデッキ材の第３の実施の形態をあらわし、そのデッキ材とデッキ材との連結部の取り付け状態をあらわす断面図である。
【図１３】本発明にかかるデッキ材の第４の実施の形態をあらわす斜視図である。
【図１４】従来のデッキ材の１例をあらわす側面図である。
【図１５】従来のデッキ材の他の例をあらわし、デッキ材とデッキ材との連結部の取り付け状態をあらわす断面図である。
【発明を実施するための形態】
【００１５】
以下に、本発明を、その実施の形態をあらわす図面を参照しつつ詳しく説明する。
図１は、本発明にかかるデッキ材の第１の実施の形態をあらわしている。
【００１６】
図１に示すように、このデッキ材１ａは、硬質塩化ビニル樹脂、ポリプロピレン樹脂などの熱可塑性樹脂を押出成形して得られ、天板部２と、底板部３、複数の柱部４と、垂れ壁５と、立ち上がり壁６と、固定部７と、固定部カバー部８と、を備えている。
天板部２は、その上面が床面を形成するようになっている。
【００１７】
底板部３は、天板部２に対して所定間隔を保つように平行に配置されて、根太材等の下地材に下方から受けられるようになっている。
柱部４は、天板部２と底板部３との間に所定間隔を隔てて介在し、押出方向に直交する方向に連続して設けられて、天板部２と底板部３との間隔を保持している。
【００１８】
天板部２及び底板部３の押出方向に直交する方向の一方の端が柱部４によって連結されている。
垂れ壁５は、天板部２の押出方向に直交する方向の他端から、底板部方向に垂下されるように垂れ下がっている。
【００１９】
立ち上がり壁６は、底板部３の垂れ壁５に対面し、垂れ壁５との間に隙間Ｓを形成するように底板部３から立ち上がっている。
固定部７は、立ち上がり壁６が設けられた側の底板部３の端から水平方向に延出するように設けられている。押出方向に直交する方向の一方の端から水平に延出するように設けられている。
【００２０】
固定部カバー部８は、天板部２の固定部７とは逆方向の端から延出するように設けられている。
そして、固定部カバー部８は、カバー部本体８１と、雨水ガイド部としての当接部８２と、遊嵌部８３とを備えている。
【００２１】
カバー部本体８１は、天板部２の端から水平方向に延出するように設けられていて、固定部７と略同じ幅をしている。
当接部８２は、カバー部本体８１の先端から垂下され、その下端が隙間Ｓの下端と上端との間にくるように設けられている。
遊嵌部８３は、当接部８２の下端からカバー部本体８１と逆方向に延出し、隙間Ｓより厚みが薄くなっている。
【００２２】
つぎに、このデッキ材１ａを用いた床の施工方法を詳しく説明する。
まず、図２に示すように、根太材Ｊの建物（図示せず）側の端部にスターター材９ａを固定する。
【００２３】
すなわち、スターター材９ａは、デッキ材１ａと同様にして熱可塑性樹脂あるいは熱可塑性樹脂組成物を押出成形して得られ、本体部９１と、固定部９２とを備えている。
本体部９１は、四角筒状をしていて、根太材Ｊ上に載置された状態でその上面が遊嵌部８３の下面の高さ位置にくる大きさに形成されている。
【００２４】
固定部９２は、本体部９１の下端から一側に延出するように設けられている。
そして、スターター材９ａは、本体部９１を建物側に配置した状態で、固定部９２を固定ビスＢによって平行に並んだ各根太材（図面では１つしかあらわれていない）Jにねじ固体される。
【００２５】
つぎに、上記のように固定されたスターター材９ａの本体部９１上に遊嵌部８３が受けられた状態で根太材Ｊによって下方から受けられるようにデッキ材１ａを根太材Ｊに載置し、デッキ材１ａの固定部７を根太材Ｊに固定ビスＢで固定する。
【００２６】
続いて、図３に示すように、隣接して設けられる同型のデッキ材１ａを、その遊嵌部８３が隙間Ｓから立ち上がり壁６と柱部４とによって形成される溝部１１内をその先端が臨むとともに、当接部８２と垂れ壁５との間隔がデッキ材１ａの熱伸縮を吸収できる幅となるように根太材Ｊに載置し、上記と同様にして固定部７を根太材Ｊに固定ビスＢで固定する。
【００２７】
そして、床の建物からの出幅分だけの枚数のデッキ材１ａをつぎつぎに連結したのち、図４に示すように端部専用カバー材９ｂで、最も建物から離れたデッキ材１ａの固定部７を上方からカバーする。
すなわち、この端部専用カバー材９ｂは、図４に示すように、カバー本体９５と、立ち上がり壁係止部９６と、固定部端部係止部９７とを備え、立ち上がり壁係止部９６を隙間Ｓから溝部１１側に臨ませ、立ち上がり壁６に上端部に係止されるように配置するとともに、固定部端部係止部９７を固定部７の端縁に引っ掛けるように配置し、カバー本体９５によって固定ビス固定部分を上方からカバーするようになっている。
また、カバー本体９５は、この装着状態で、隙間Ｓ側から固定部端部に向かって下り勾配となる。
【００２８】
なお、建物側のデッキ材１ａの建物側端部には、図示していないが、建物壁面に一端が固定されたカバー材が被せられるようになっている。また、根太材Ｊの建物の反対側の端部は、図示していないが、バルコニー等の枠材に支持されている。
【００２９】
このデッキ材１ａは、上記のようにして施工されるようになっているので、降った雨水等が、デッキ材１ａとデッキ材１ａと間に流れ込むと、遊嵌部８３の上面で受けられて、溝部１１側に入り込む。溝部１１に入り込んだ雨水は、立ち上がり壁６があるので、固定部７側に流れ出ず、溝部１１の長手方向両端から排水される。
したがって、固定ビス孔から床下に雨漏りすることがない。
【００３０】
また、遊嵌部８３が隙間Ｓより薄くなっているので、遊嵌部８３が容易に隙間Ｓを介して溝部１１側に挿入できるとともに、出幅調整も容易である。
さらに、上記のように、当接部８２と垂れ壁５との間隔がデッキ材１ａの熱伸縮を吸収できる幅となるように調整して施工することができるので、熱膨張によって当接部８２と垂れ壁５とが圧接されてデッキ材１ａにゆがみが生じたりすること防止できる。
【００３１】
また、端部のデッキ材１ａの固定部７が端部専用カバー材９ｂのカバー本体９５によって上方からカバーされるので、端部のデッキ材１ａの固定部７においても固定ビス孔部分が雨水等に濡れることがなく、固定ビス孔部分からの雨漏りが防止できるとともに、カバー本体９５が隙間Ｓ側から固定部端部に向かって下り勾配となるので、この勾配に沿って雨水を効率よく排水する事が出来る。
【００３２】
なお、上記スターター材９ａあるいは端部専用カバー材９ｂに代えて、図５に示すスターター材９ｃや、図６及び図７に示すスターター・端部固定部カバー兼用材（以下、「兼用材」とのみ記す）９ｄ、９ｅを用いることができる。
すなわち、図５に示すスターター材９ｃは、本体部９３が端面コの字をしている以外は、上記スターター材９ａと同様になっている。
【００３３】
一方、図６に示す兼用材９ｄは、図６及び図８に示すように、本体部９６と、固定部９７とを備えている。
本体部９６は、水平部９６aと、２つの脚部９６ｂとを備えている。
【００３４】
水平部９６aは，図８に示すように、固定部カバー部８の当接部８２と、この当接部８２に対面する柱部４との間隔と略同じ幅になっている。
２つの脚部９６ｂは、水平部９６aの幅方向の両端から平行に延出し、その延出長さが、底板部３の厚みと柱部４の高さの合計と同じに形成されている。
【００３５】
固定部９７は、遊嵌部支持部９７aと、固定部本体９７ｂとを備えている。
遊嵌部支持部９７aは、支持部本体９７ｃと、小脚部９７ｄとを備えている。
【００３６】
支持部本体９７ｃは、脚部９６ｂの下端面と、支持部本体９７ｃと上端面との垂直方向の寸法が、根太材Jの上面から遊嵌部８３の下端までの高さと同じになるように、一方の脚部９６ｂの壁面から延出している。
また、支持部本体９７ｃは、図９に示すように、脚部９６ｂの下端面と、支持部本体９７ｃと下端面との垂直方向の寸法が、立ち上がり壁６の高さと同じになる厚みをしている。
【００３７】
小脚部９７ｄは、支持部本体９７ｃの端部から垂下され、脚部９６ｂとの間に立ち上がり壁６の厚みと同じ幅の隙間９７ｅを形成するとともに、その下端面が、脚部９６ｂの下端面と同一平面内に収まるようになっている。
固定部本体９７ｂは、その下端面が小脚部９７ｄの下端面と同一平面内に収まるように、小脚部９７ｄの下端部から延出している。
【００３８】
そして、この兼用材９ｄは、スターター材として使用される場合には、図８に示すように、固定部本体９７ｂを固定ビスＢによって根太材Jに固定したのち、デッキ材１ａが、その固定部カバー部８のカバー部本体８１が水平部９６aに受けられるように、兼用材９ｄの上方から被せられた状態で根太材Jに受けられるようになっている。
すなわち、水平部９６aが柱部４と、当接部８２との間に嵌り込むので、兼用材９ｄを正確に固定すれば、デッキ材１ａの位置決めを別途行う必要がない。
【００３９】
また、この兼用材９ｄは、図９に示すように、端部カバーとしても使用できる。
すなわち、上記のように、デッキ材１ａをつぎつぎに根太材Jに固定したのち、最も端部のデッキ材１ａの溝部１１内に隙間Ｓを介して固定部９７を臨ませるとともに、立ち上がり壁６を脚部９６ｂと小脚部９７ｄとの隙間９７ｅ内に嵌り込むように装着される。
そして、この装着によって、端部のデッキ材１ａの固定ビスＢが兼用材９ｄによって隠蔽される。また、この装着状態で、水平部９６aの上端面とデッキ材１ａの天板部２の上面とが面一となる。
【００４０】
この兼用材９ｄは、以上のように、１つでスターター材としても端部カバー材としても使用することができ、金型コストが低減できる。
【００４１】
他方、兼用材９ｅは、図７及び図１０に示すように、兼用材本体９８と、端部幅調整部９９とを備えている。
兼用材本体９８は、上記兼用材９ｄと同じ形状をしている。
【００４２】
端部幅調整部９９は、幅調整部本体９９ａと、３つの大脚部９９ｂ〜９９ｄとを備えている。
幅調整部本体９９ａは、水平部９６aと、同じ厚みで同じ上端面及び下端面が水平部９６aの上端面及び下端面に一致するように水平方向に延出している。
【００４３】
そして、幅調整部本体９９ａは、上面に３つの断面略Ｖ字をした溝９９ｅ〜９９ｇが平行に設けられている。
最も水平部９６ａ側の溝９９ｅは、そのＶ字の底が、固定部３が設けられていない脚部９６ｂの外側）の壁面（固定部９７と逆側の面）と同一平面内に収まるように設けられている。
【００４４】
大脚部９９ｂ〜９９ｄは、脚部９６ｂと平行に設けられていて、脚部９６ｂより底板部３の厚み分だけ長くなっている。
また、脚部９６ｂと最も外側の大脚部９９ｂとの間に配置される２つの大脚部９９ｃ，９９ｄは、その外側の壁面がそれぞれ、溝９９ｆあるいは９９ｇのＶ字の底と同一平面内に収まるように設けられている。
【００４５】
この兼用材９ｅは、上記のようになっており、図１０に示すように、兼用材本体９８を上記兼用材９ｄと同様に装着することによって端部カバーとして使用することができる。
そして、幅調整部本体９９ａが３つの溝９９ｅ〜９９ｇを備え、溝９９ｅ〜９９ｇの底部分が薄肉になっているので、いずれかの溝９９ｅ〜９９ｇの底に沿って簡単に切断することができる。
すなわち、いずれかの溝９９ｅ〜９９ｇの底に沿って切断することによって、幅調整部本体９９ａの幅をデッキ材１ａの端縁と、根太材Jに端部に設けられるバルコニーの壁（図示せず）との隙間にあわせた寸法に容易に調整することができる。
【００４６】
また、この兼用材９ｅは、図示していないが、溝９９ｂの底にそって幅調整部本体９９ａを切除すれば、上記兼用材９ｄと同じ形状の兼用材本体９８のみとなり、上記兼用材９ｄと同様にしてスターター材としても使用することができる。
【００４７】
図１１は、本発明にかかるデッキ材の第２の実施の形態をあらわしている。
図１１に示すように、このデッキ材１ｂは、遊嵌部８３の先端に上方に直角に立ち上がる係止部８４を設けた以外は、上記デッキ材１ａと同様になっている。
このデッキ材１ｂは、上記デッキ材１ａと同様の効果を備えているとともに、係止部８４を備えているので、一端隙間Ｓから挿入した遊嵌部８３が施工途中で抜け出ることを防止でき、施工性が向上する。
なお、係止部８４は、遊嵌部８３の端縁全長に沿って設けられている必要はなく、間欠的に設けられていてもよい。
【００４８】
図１２は、本発明にかかるデッキ材の第３の実施の形態をあらわしている。
図１２に示すように、このデッキ材１ｃは、遊嵌部８３の先端に下方に直角に垂れ下がる係止部８５を設けた以外は、上記デッキ材１ａと同様になっている。
このデッキ材１ｃは、上記デッキ材１ａと同様の効果を備えているとともに、係止部８５を備えているので、一端隙間Ｓから挿入した遊嵌部８３が施工途中で抜け出ることを防止できとともに、遊嵌部８３が熱などで上方側に反っても、遊嵌部８３の上面に沿って溝部１１側に入り込んだ雨水が遊嵌部８３の裏面側を通って固定部７側に流れるという事故を防止することができる。
なお、係止部８５は、遊嵌部８３の端縁全長に沿って設けられている必要はなく、間欠的に設けられていてもよい。
【００４９】
図１３は、本発明にかかるデッキ材の第４の実施の形態をあらわしている。
図１３に示すように、このデッキ材１ｄは、固定部７の出幅を小さくするとともに、固定部カバー部８に対面するように、固定部７あるいはスターター材９ａ、９ｂの固定部９２に対面するように、リブ１２が設けられている以外は、上記デッキ材１ａと同様になっている。
【００５０】
本発明は、上記の実施の形態に限定されない。例えば、上記の実施の形態では遊嵌部が天板部と水平に方向に延出していたが、先端に向かって斜め下方に傾斜していても構わないし、その上面のみを斜め下方に傾斜させても構わない。
【符号の説明】
【００５１】
１ａ，１ｂ，１ｃ，１ｄ  デッキ材
２  天板部
３  底板部
４  柱部
５  垂れ壁
６  立ち上がり壁
７  固定部
８  固定部カバー部
８１  カバー部本体
８２  当接部（雨水ガイド部）
８３  遊嵌部（雨水ガイド部）
８４  係止部
８５  係止部
【図１】
0005555465.tif 000002
【図２】
0005555465.tif 000003
【図３】
0005555465.tif 000004
【図４】
0005555465.tif 000005
【図５】
0005555465.tif 000006
【図６】
0005555465.tif 000007
【図７】
0005555465.tif 000008
【図８】
0005555465.tif 000009
【図９】
0005555465.tif 000010
【図１０】
0005555465.tif 000011
【図１１】
0005555465.tif 000012
【図１２】
0005555465.tif 000013
【図１３】
0005555465.tif 000014
【図１４】
0005555465.tif 000015
【図１５】
0005555465.tif 000016